(57)【要約】      （修正有）【課題】  ライティングダクトに取り付けて、吊り下げた照明器具灯体等を任意の方向に調整操作ができる照明器具を提供する。【解決手段】  可動灯体等を吊り下げて水平回転時の中心になる回転軸に着目し、回転軸を固定側筐体内を貫通させて筐体の上下二カ所の軸受けで支持し、回転軸とその周囲に接触端子構造を設けたコネクター構造を構成し、灯体等の垂直荷重は回転軸の一部を膨らませて取付部材を介して固定側筐体の下部に引っ掛ける構造とする。  回転軸として、金属製の吊り下げパイプ内に絶縁材料で成形した延長用回転軸差し込み剛性を保って一体化し、表面上下に環状の端子を設け、先端とパイプ挿入口部に軸受け構造部を構成する。固定側筐体には相対する極当たり複数の接触片を有する固定接触子を上下方向に積み重ねてコネクター構造を成形する。【選択図】      図１
2006202713.tif 000002
【特許請求の範囲】
【請求項１】
通常の屋内天井に設置されたライティングダクトに、内蔵されたアダプター部を介して取り付けられ、少なくとも水平面の照射方向を可動調整できる照明器具に於いて、水平回転軸の軸芯保持部をライティングダクトに取り付け固定された固定側筐体の少なくとも上下２カ所に設けるとともに筐体下側には吊り下げ荷重を支える掛止部を備え、可動灯体側の回転軸を固定側筐体の上下２カ所の軸芯保持部と嵌合させ、水平回転動作と偏心荷重を保持するとともに筐体下側の吊り下げ荷重掛止部で垂直荷重を保持する事を特徴としたライティングダクト用照明器具。
【請求項２】
ライティングダクトへ取り付けられた固定側筐体の上部軸芯保持部には水平回転軸先端の凹凸に対応する凸凹を設け、下部軸芯保持部には水平回転軸先端部が貫通するとともに吊り下げ荷重保持の取付穴を設け、吊り下げ回転軸先端部に設けた凸部と嵌合させ取付穴内側に挿入固着される回転軸取付具を左右二分割として、凸部を両側から挟み込む事で嵌合させるとともに取付穴内に密着して軸芯保持部の一部を成す事をを特徴とする請求項１記載のライティングダクト用照明器具。
【請求項３】
先端に凸部を設けた管状回転軸の内側に、絶縁材料で成形された絶縁回転軸の一部分を圧入して可動灯体側回転軸の延長部を形成し、絶縁回転軸の表面に略円筒形状の回転摺動接触子を組み込むとともに放射状の溝を設けて回転摺動接触子の一部を溝内に屈曲させ且つ一部を切り起こしてリード線芯線の圧着接触と抜け止め構造を形成し、端子狭着部に可動灯体から引き出されたリード線芯線を圧入する事により接続コネクター構造を具現化した事を特徴とする請求項１記載のライティングダクト用照明器具。
【請求項４】
絶縁回転軸を保持固定する固定側筐体下面の固定穴径を上部の軸受部穴径の２倍以上に設定するとともに、絶縁回転軸の下部軸受け摺動部分の幅を拡げた縁部外周面上に圧接構造の端子部を略放射状に配置し且つ可動灯体から引き出されたリード線を外周面に沿わせて屈曲収納するリード線収納部とを設けて接続端子部へ導く構造を特徴とする請求項１記載のライティングダクト用照明器具。
【請求項５】
回転軸を中心に絶縁部材と固定筐体側接触子を同軸対称配置の積み重ねた構造とし、固定接触子は同軸対称配置で上方窄まりの極当たり三枚以上の接触片で構成され、吊り下げ軸側の回転接触子を単独で挟み付けるとともに組立嵌合操作時には軸芯へ導く機能をも具備し、上下の絶縁部材で接触片の可動範囲を制限するともに絶縁構造物の強度に依存しない接触圧の確保を具体化した事を特徴とする請求項１記載のライティングダクト用照明器具。
【請求項６】
ライティングダクトから固定側筐体を取り外す際に、回動防止ストッパーに具備された操作ボタンを筐体の内側に押し付けながら下方へ押し下げて解除を行う筐体取り外し構造に於いて、回動防止ストッパーの動きを支える案内板の少なくとも下部に配置された案内板を斜め下方向に設定し、操作ボタンの操作が不要な取付時には概略上下の移動を行い、取り外し操作を行った時に、操作ボタンと回動防止ストッパーが内側へも滑り込む事で操作ボタンへの操作力印加荷重と作動方向を概略一致させた構造とした事を特徴とする請求項１記載のライティングダクト用照明器具。
【発明の詳細な説明】
【技術分野】
【０００１】  本発明は、通常の屋内天井に配置されたライティングダクトに取り付けて使用する、アダプターを内蔵する照明器具で、ライティングダクトに固定される固定側筐体と、約３５０°の水平方向と約９０°の鉛直方向の角度調整が可能な可動灯体とを備えた、スポットライト型照明器具に関する。
【背景技術】
【０００２】  ライティングダクト用スポットライト形照明器具は大別して２種類ある。
一つは、可動灯体から延びた金属パイプ或いはアームを直接アダプターに取り付け、パイプ内を配線するかアームに沿わせて配線をしていた。この場合は商用電源をそのまま可動灯体のランプソケット又は点灯ユニットに供給する場合である。
他は、電子降圧変圧器等の電源ユニットや点灯ユニットを介して可動灯体に供給する場合である。この場合は、筐体の一部に成形された内蔵アダプター部でライティングダクトに取り付けられ、リード線等で電子基板ユニットに入力され、出力を再びリード線で可動灯体に供給していた。【０００３】  何れの場合も可動灯体へのリード線が捻れる恐れがある為、水平回転角度は約３５０°で制限されていた。そしてこれらの取付構造や角度制限は、アダプター筐体の下面や電子ユニット筐体下面の取り付け穴部分に集中していた。
この構造では、可動灯体の偏心による傾き対策や回転角度制限の為に強固に締め付ける必要がある一方、円滑な回転動作が得られないという矛盾が生じていた。また、照射範囲の死角を排除する為に二重のストッパー構造を採用している例もあるが、更に金属ワッシャー類や潤滑シート類を増やす事になっていた。それでも、ストッパー角度を超えた僅かな角度調整に対しては、大きく反対方向に振り廻さなければならないという調整の難しさと不便さが残っていた。【０００４】  更に、電子ユニットを内蔵する照明器具の製造工程に於いては、狭いユニット筐体内で電子基板等への配線作業を行う必要が有り、器具全体の小形化と伴に組み立て作業を困難なものにしていた。また、電子ユニット筐体部分と可動灯体部分は一体として扱う事になり、可動灯体を引きずり廻しながら組み立てる事になっていた。また、組立後の一体化した完成品で在庫管理を行う事になり、顧客の要望に備える為の他品種化への対応が負担になっていた。【０００５】  電子ユニット筐体等では、アダプター部の他端に着脱ストッパーが組み込まれている場合が多い。また自重による垂れ下がり防止の為にフックと呼ばれる引っ掛け爪を設けている場合もある。
この着脱ストッパーを解除する場合には操作ボタンを押し下げる構造になっているが、中心方向に押しながら下げる必要があり、意外と困難な操作になっていた。
【発明の開示】
【発明が解決しようとする課題】
【０００６】  解決しようとする問題点は、アダプターを内蔵する固定側筐体のユニットケース内に於ける困難な配線および組立作業を簡易化して、組み立て作業性の改善と、生産及び在庫管理を容易にし、部材及び製品の在庫削減を目的とする。【０００７】  次に、固定側筐体下面に設けられている可動灯体の回転軸の取り付け構造を簡略化し、ナット等のの微妙な締め付け調整作業を廃止すると伴に、軽い操作力で円滑な調整ができる可動構造の具体化を行う。【０００８】  更に、ライティングダクトへの着脱操作の容易化を行う。取り付け時は固定側筐体を回転させるだけとし、取り外しは解除ボタン操作力を軽減する。着脱作業の何れも、片手で操作できることを目標とする。
【問題を解決するための手段】
【０００９】  本発明は、課題に対して、アダプター或いはアダプターを内蔵する固定側筐体と可動灯体を分離する為に、出力側接点に連続回転可能なコネクター構造を採る。このコネクター構造の採用により、アダプター或いはアダプターを内蔵し電子ユニット等を収納する固定側筐体と可動灯体を分離することができ、水平方向の調整について回転方向と角度の制限から解放する。
【００１０】  固定側筐体に内蔵されたアダプター部の回転軸を可動灯体の回転軸に合わせ、アダプター直下の上面に可動灯体の回転軸を受け、回転軸精度を維持する軸受け部を設ける。その直下の固定側筐体下面には、可動灯体の荷重を支えると伴に回転軸精度を維持する為の回転体構造の取付具による取付構造を具備する。この取付構造は、取付具を筐体下部の穴構造内に納め、外側から締め込む構造を採る。上下に設けた回転軸の受け構造により剛性と精度を確保し、円滑な回転を具体化する。
【００１１】  この取付具は、可動灯体の回転軸の一部を凸とした荷重支持部によって可動灯体の荷重を支え、且つ、固定側筐体下面の回転軸取り付け穴の内側に装着固定される。この取付具は、可動灯体の回転軸の凸部への組立嵌合性を容易にする為に二分割されている。凸を外側から包み込むものの、固定側筐体に組み込むことで外側への拡がりを容易に防ぐ。取付具は固定側筐体に取り付けた後は、基本的に取り外す物では無いから、取付構造に逆戻り防止装置を組み込み、容易に取り外す事ができない構造とする。
【００１２】  固定側筐体には回転軸を対称軸とした複数の接触片を有する固定接触子を上下方向に極数分配置する。これらの固定接触子は、その用途に応じて、直接アダプター端子と接続するか、リード線を介して電子ユニット基板に接続する。固定側筐体内に電子ユニットを納める形態によっては、アダプター端子部と固定接触子を直接電子ユニット基板に挿入接続することが可能になる。この場合、ライティングダクトへの着脱時に発生する変形応力が基板に悪影響を及ぼさないように、特に、アダプター端子の延長部分には柔軟変形部を設ける。
【００１３】  可動灯体側の管状の回転軸には、絶縁部材で成型された絶縁回転軸を必要最小限の長さで圧入し回転軸の延長とすると伴に、表面には回転接触子を備え、放射状に設た溝に絶縁された導体を配置することで回転接触子との接続を行う。また取付具によって覆われる鍔の部分に可動灯体からのリード線と回転接触子を接続する為の端子部を設ける。可動灯体の回転軸には取付具と組み合わせる凸部を成型する。この形状は環状でも良く、複数個の突起でも良い。この凸部は、単に可動灯体の荷重分を支えるだけであるから一部でも構わない。
【００１４】  固定接触子は同軸上に４枚の接触片を具備し、中央に挿入嵌合する絶縁回転軸の回転接触子を四方から挟み込む構造を採る。複数接点を具体化でき、接触信頼性と大電流対策にを対応する。固定接触子に複数の接触片を備えるので、回転接触子は完全な環形状を必要とせず一部分を切り欠く事が可能になり、例えばＣ字型断面にする事で、絶縁回転軸への装着作業を容易化する。
接触接点は回転角度によって、３点から４点の範囲で変化するが、３点でも安定した接触を維持する。回転接触子が存在しない部分は、絶縁回転軸を同円弧面まで膨らませるか、その幅を接触片の幅未満あるいは余裕を設けた狭小寸法に設定する事で円滑な回転動作を具体化する。
【００１５】  管状回転軸に圧入された絶縁回転軸との組合せで一体になった回転軸が、固定側筐体の上面部と下面部の２カ所で支持される構造により、回転軸の精度維持と荷重保持を個別に調整、設定する事が可能となる。また回転接触子に対する固定接触子の接触圧は、固定接触子の接触片形状や材質及び材厚により自由に設定できる構造として、保持する絶縁部材等の強度に直接影響されない構造とする。
【００１６】  着脱の際のストッパー操作は、取付時はライティングダクトから押されて操作ボタンとストッパーが自動的に押し下がる事で回動可能として取付可能とする。取り外し時には、操作ボタンを押し下げ、斜め内側方向へ移動可能とし、解除操作力と操作ボタンの可動方向を概略一致させる構造とする
【発明の効果】
【００１７】  本発明の照明器具では多品種少量生産に於ける生産行程管理の簡素化、部材の調達と在庫管理の簡素化、そして製品在庫の大幅削減ができる。
この種の照明器具は、主に可動灯体の意匠と、組み合わせるランプ容量と色温度等の組合せで数機種へ系列展開される。電子降圧変圧器（通称：電子トランス）を有するローボルトハロゲンランプ用照明器具の場合は、概ね、５０Ｗと７５Ｗの電子降圧変圧器と、複数の灯体とランプで系列展開がされている。この数種類の機種毎に部材調達と組立作業、そして基準数の製品在庫を備えると無駄な類似重複在庫も保有する事になる。
本発明では、電子ユニット等を収納する固定側筐体と可動灯体を、照明器具の最終組立工程で組合せる事により一機種の照明器具が完成する。これを活用して、固定側筐体に納めた電子降圧変圧器ユニット２種類と可動灯体の部分組立品とランプに分けて、部分組立品状態で在庫する事で、重複していた部分を削減できる。特に、電子ユニットの原価構成比率は大きいのでコスト圧縮効果は大きい。
【００１８】  固定側筐体の電子降圧変圧器ユニットは別工程で組み立てる事ができ、納期短縮や発注作業の簡素化を行う事ができる。
また、固定側筐体部分だけで組立ができるので、可動灯体を振り回す必要も無くなり、取り扱いが容易になる。電線による配線が生じてもユニット内の短い配線作業であり繁雑になる事はない。
専業メーカーへの発注も容易になり、品質の安定と原価低減も期待できる。供給側もユニットケースに相当する固定側筐体に納めた形態で納入でき、品質の維持と責任分担が明確になる利点がある。
【００１９】  組合せ展開を更に発展させて、固定側筐体と可動灯体の実使用現場での組み立てを具体化すると、大幅な梱包資源の削減と、保管及び輸送コストの削減となる。
この種の照明器具では、可動灯体から延びるパイプやアームの部分と、直角に配置される固定側筐体により、梱包箱の中には無駄な空間が有った。
対して、パイプやアームに沿って固定側筐体を梱包する事によって、無駄な空間を大幅に削減できる。一例では、梱包容積の５０％削減が可能である。これは地球環境の保護保全に多大な貢献をする。
【００２０】  可動灯体側からの配線を絶縁回転軸内で回転接触子と接続する為、少なくとも水平方向の回転操作に於いて配線材等の捻れは発生しない。これにより照射方向調整時の主制限事項であった回転角度と回転可能方向の制限を無くする事ができた。また、従来構造と異なり取付部の締め付け力に頼らないので、軽微な操作力で円滑な動作が具体化できた。
固定接触子の絶縁回転軸接触子に対する接触片圧を増しても可動灯体を可動操作する為の回転力は微増であり、円滑な操作を損なわない。
【００２１】  総じて、照射方向の調整時に於いて、照射したいと望む方向と同様の照射方向調整操作ができて、従来構造の様に望む方向と逆に操作した後で調整を必要とする様な煩わしさとストレスを排除する事ができる。
これは、ライティングダクトへの器具の着脱作業の容易化と伴に、椅子や脚立の上といった不安定環境下での、不安定操作と調整を極力排除する事に繋がる。
【発明を実施するための最良の形態】
【００２２】  本発明は、ライティングダクトに内蔵アダプターを介して接続固定された固定筐体内に電子降圧変圧器を有し、その出力を主に固定側筐体下部に吊り下げられた可動灯体へ供給し、低電圧ハロゲン電球を点灯させる、通称、電子トランス内蔵スポットライトに適用する事を最良の形態とする。以下、本発明の実施形態について図面を参照して説明する。【００２３】  図１は、本発明を電子トランス内蔵スポットライトへ応用した実施例で、固定側筐体の正面図、上面図、側面図と、可動灯体の側面の図示である。固定側筐体１の筐体上部１ａの一端にはライティングダクト２に嵌合接続されるアダプター部３を有し、他端には正常装着後の回動防止と垂れ下がり防止の着脱ストッパー部４を具備する。固定側筐体１の筐体下部１ｂには、二分割された取付具５を介して吊り下げパイプ６を固定保持し、回転軸中心を合わせた取付構造を具備する。可動灯体７は吊り下げパイプ６で吊り下げられている。【００２４】  アダプター部３の直下には、アダプター端子３ａを固定し、固定接触子７を保持絶縁する出力端子部８を備える。アダプター端子３ａは出力端子部８の外側を迂回して電子降圧変圧器ユニット９の基板９ａに接続される。出力端子部８は固定接触子７と絶縁材による端子ホルダー８ａ，８ｂで構成され、端子ホルダー８ａは可動灯体１０からの回転軸を受けて水平回転時の軸中心を一致させる軸受け部８ｃを具備する。【００２５】  可動灯体１０には、反射板付き低電圧ハロゲンランプ１０ａとランプソケット１０ｂと配線材等を備える。また、鉛直照射方向の調整を可能とする為のヒンジ部１０ｃを有し、吊り下げパイプ６と接続されている。この吊り下げパイプ６は、可動灯体１０を水平回転させるときの回転軸となり、先端に絶縁回転軸１１を圧入し回転軸の延長として同一回転を行う。絶縁回転軸１１の先端は軸受け部８ｃに嵌合し、取付具５とともに回転軸中心を維持する。また絶縁回転軸１１は、固定接触子７と相対する回転接触子１２を保持し、ランプソケット１０ｂからのリード線を接続する為の端子構造を併せて具備する。【００２６】  吊り下げパイプ６に成形された凸部６ａを、取付具５で挟み込み、筐体下部１ｂの取付穴１ｃに挿入して回転させ、固着させる事で最終組立が完了となる。固定接触子７と回転接触子１２は自動的に接触状態に成り電子ユニットの出力がランプ１０ａに導かれる。
可動灯体１０の荷重は、吊り下げパイプ６と取付具５と筐体下部１ｂの構造と材料強度で自由に設定でき、水平回転軸の精度は筐体上部１ａの軸受け部８ｃと筐体下部１ｂの取付穴１ｃと取付具５及び絶縁回転軸１１の取付具摺動軸１１ｂの精度で決まり、各荷重方向毎に個別に設定できる。特に回転軸については、固定側筐体１の上下２カ所で保持する事になるので、可動灯体１０の偏心荷重等に対して十分な剛性を得る事ができる。【００２７】  本構造により、固定側筐体１と可動灯体１０は個別の組立工程で部分組立品として製造し、最終組立工程で結合し最終製品の組立が完了する。数種類の電子ユニット、ランプ、可動灯体を準備しておけば、受注に応じて短納期で最終組立を行い出荷する事が可能となる。
【実施例１】
【００２８】  図２は、固定側筐体１と可動灯体１０の結合部分の拡大図である。それぞれ、正面断面図、側面断面図、上面図である。
筐体上部１ａに成形されたアダプター部３は、主にアダプター掛止片３ｂとアダプター端子３ａと端子部ホルダーＡ８ａで構成されている。アダプター掛止片３ｂにアダプター端子３ａを挿入後、端子ホルダーＡ８ａを挿入して固定する。アダプター端子３ａの器具側の先端は筐体内両端に拡がって、出力端子部８の構成を妨げない構造となっている。
構造上、主部部品は同軸配置なので、積み上げ角度を変えながら組立を行う。具体的には、筐体上部１ａを反転し、端子ホルダーＡ８ａの上に、固定接触子７、端子ホルダーＢ８ｂ、固定接触子７を積み上げ、ＰＷＢ組立品の基板９ａの端子穴に各端子リードを通してネジ止めを行い、最後に半田付けを行う。【００２９】  図３は、固定側筐体１と可動灯体１０の一部の分離状態を示す正面図と側面図の部分断面図である。
筐体上部１ａに前述の手順で主要部品を組み込んだ後に、着脱ストッパー部４と筐体下部１ｂを組合せネジ止めを行う事で固定側筐体１の部分組立作業は終了する。可動灯体１０の要求特性に応じた電子基板を組み込む事で、他品種化の対応が可能となる。
アダプター端子３ａは基板９ａに挿入される手前で端子柔軟部３ｃを設け、ライティングダクト２への着脱の際に発生するアダプター端子３ａ先端部の変形応力を極力吸収するようにしている。【００３０】  固定接触子７は絶縁回転軸１１が円滑に挿入されるように下側支点になるように成形され、押し広げられながら回転接触子１２と接触する。固定接触子７は回転接触子１２に対し、一枚の素材から切り起こされた１極当たり４辺の接触片７ａで接触し、軸対称に設定されている。接触片７ａを下側支点に設定した事と軸対称に設定した事により、絶縁回転軸１１を固定側筐体１に挿入する場合には自動的に芯合わせを行う事になり、筐体上部１ａの軸受け部８ｃにも容易に進入嵌合させる事ができる。【００３１】  また、接触圧の調整は固定接触子７の材質、材厚、成形形状、等を組み合わせる事によって自由に設定ができる。例えば接触圧を高く設定しても、絶縁回転軸１１と回転接触子１２を固定接触子７が挟み込むだけであるから周囲の絶縁部材に常時負荷を与えない。固定接触子７を保持する出力端子部８の樹脂成型品に負荷が掛かるのは回転調整操作時だけであり、固定接触子７の接触片７ａと回転接触子１２の摺動摩擦抵抗分のみである。総じて信頼性の高い接触構造が得られる。【００３２】  図４は、固定側筐体１の分解斜視図で、基板９ａと出力端子部８と筐体下部１ｂの構造概要を示す。筐体上部１ａと筐体下部１ｂの組合せ方法は従来構造の適当な方法で良く、本例では、圧入とネジ止めを併用している。
図５は、固定側筐体１と可動灯体１０の回転軸構造を示す分解斜視図である。取付具５は組立作業性を改善するため、後から吊り下げパイプ６に取付可能とする為に二分割している。
図６は、絶縁回転軸１１と回転接触子１２と可動灯体１０のリード線の概略組立構造を示す分解斜視図である。【００３３】  可動灯体１０からの吊り下げパイプ６の先端には、絶縁材料で成形された絶縁回転軸１１が組み込まれている。絶縁回転軸１１は、先端に軸受け部８ｃと相対する先端摺動軸１１ａを有し、取付具５の内側と相対する取付具摺動軸１１ｂを形成し、上下二カ所で回転軸の位置決めが成される。絶縁回転軸１１の概略下半分は吊り下げパイプ６に軽微に圧入され、吊り下げパイプ６の切り欠き６ｂと絶縁回転軸１１の凸部１１ｅによって回り止めを施している。嵌合隙間を極力減らし、絶縁回転軸１１の適当な長さを吊り下げパイプ６に挿入する事で概略一体化でき、吊り下げ荷重の偏心変動に対して軸振れのない高剛性の支持構造を具体化している。【００３４】絶縁回転軸１１には、出力端子数に応じた回転接触子１２を組み込む為の案内溝を設けるとともに、可動灯体１０からのリード線１０ｄを導くためのＵ字溝１１ｃを具備する。Ｕ字溝１１ｃは、リード線１０ｄの被覆外径を納める幅と深さを確保し、極数に応じて１８０°又は１２０°で設け、中心部は必要な厚さを維持して絶縁性能を維持する。【００３５】  回転接触子１２は、円筒形状の一部を切り取り、且つ一部を中心部に向かって折り込んでリード線接続部１２ｃを形成し、リード線１０ｄ芯線部を圧入する事によって挟着保持する挟着部１２ｂを備える。円筒形状の切り取りは、絶縁回転軸１１への組付けを容易にし、弾性の劣化を防ぐ事を目的とする。従って正規の組込位置で円筒状になれば良く、絶縁回転軸１１の一部を削り落として切削部１１ｆを設け、組込時に回転接触子１２が不必要に拡がるのを防ぎ、組込作業性を改善している。組み込まれた回転接触子１２は、絶縁回転軸１１に設けた凹穴と回転接触子１２の開放端に設けた内側への凸部１１ｅに因っての所定の位置に納められる。【００３６】  円筒形状の切り取り幅は、他極のＵ字溝１１ｃを避け且つ固定接触子７の接触片７ａの切り起こし幅未満に設定され、回転時に接触片７ａがＵ字溝１１ｃに落ち込む事を避けている。具体的にはＵ字溝１１ｃの幅は最小限とし、回転接触子１２の開放幅との隙間は、絶縁回転軸１１の材料肉付けで埋めている。この構造により固定接触子７の接触片７ａに対する円筒形状を大きく損なうことなく絶縁回転軸１１に各部材を組み込む事を可能とするとともに、円滑な回転と接触を得ている。【００３７】  可動灯体１０からのリード線１０ｄの組立接続は、先ず、絶縁回転軸１１に回転接触子１２を挿入し所定の位置に固定する。次に吊り下げパイプ６から引き出したリード線１０ｄをＵ字溝１１ｃに仮収納し、絶縁回転軸１１のパイプ挿入部１１ｄを吊り下げパイプ６に７割ほど挿入する。次に、先端カシメ等の芯線解れ防止を施したリード線１０ｄ芯線部をリード線接続部１２ｃに挿入して挟着部１２ｂに納める。テーパー状に曲げ起こされた挟着部１２ｂは芯線を挟着して接触を保つとともに抜け止め効果により離脱を防ぐ。そして最後に、絶縁回転軸１１を１〜２回回転してから、吊り下げパイプ６の切り欠き６ｂに絶縁回転軸１１の凸部１１ｅを合わせ圧入して可動灯体側の端子部組立が完了する。１〜２回捻る事で、作業上必要なリード線１０ｄの余分を吊り下げパイプ６内で軽微に屈曲させて容易に収納する事ができる。【００３８】  吊り下げパイプ６の先端には、取付具５を介して筐体下部１ｂの取付穴１ｃに固着させる為のパイプ凸部６ａを具備する。パイプ凸部６ａは取付具５の内側に収まり、照射方向調整操作時に摺動回転をする。パイプ凸部６ａは、単に可動灯体１０の垂直荷重を支えるだけで良く、環状である必要は無いが、回転軸対称の複数の凸部を設定する事で安定した摺動回転動作を得る事ができる。水平回転操作時の操作力は、主に、これらの摺動回転部の摩擦力と、固定接触子７の接触片７ａと回転接触子１２の摩擦力の合計でしかなく、高い接触圧を設定しても、軽微な操作力で円滑に作動する。【００３９】  可動灯体１０の固定側筐体１への結合組立は、筐体下部１ｂに設けた取付穴１ｃに取付具５を挿入し、回転固着させる事で行う。取付穴１ｃは概略十字型の挿入切欠部１ｄを有し、取付具５はそれに合わせた嵌合形状の引掛爪５ａを有する。取付具５はフランジ５ｂを具備して、組み付け後に挿入切欠部１ｄを覆って体裁を整える。一般的に、絶縁回転軸１１や吊り下げパイプ６は結合組立後に取り外す必要がないため、相互に凹凸を設けた逆回転防止構造を具備する。また取付具５は、吊り下げパイプ６への組み込みを容易にするため二分割構造になっている。取付具５は、パイプ凸部６ａを外側から保持するが、取付穴１ｃに組み込む事で外側へは拡がらない構造としている。取付具５は構造的に上下寸法が大きいので容易に二分割が可能となり、組立性の向上とともに成形加工性をも容易とする効果を得ている。【００４０】  図７は、着脱ストッパー部４のライティングダクト２への装着前及び装着後を示す、正面部分断面図と側面断面図である。
図８は、同様に、取り外し操作時の状態を示す正面部分断面図と側面断面図である。
着脱ストッパー部４は筐体上部１ａを基本構造物として、フック４ａとストッパー４ｂとバネ４ｅから成る。筐体上部１ａの一部に固定回転軸４ｆと傾斜案内板４ｄを備える。フック４ａは固定回転軸４ｆを中心に回動し、ライティングダクト２の内側からダクト引掛部２ｃに引っ掛かる。ストッパー４ｂは移動回転軸４ｇでフック４ａと結合し、バネ４ｅで常時上方へ押されている。ストッパー４ｂ下部の角穴４ｈは、傾斜案内板４ｄの上を摺動可能とするとともに摺動範囲を制限している。筐体下部１ｂはこれらを収納し、操作ボタン４ｃ操作時の案内を果たしている【００４１】  固定側筐体１をライティングダクト２に取り付ける時は、アダプター部３を嵌合させて右に廻す事により、フック４ａが押されて回動沈下すると同時にストッパー４ｂを押し下げて動きを妨げない。固定側筐体１が所定の位置に達すると、ストッパー４ｂがライティングダクト２内に飛び出すと同時にフック４ａも回転してダクト引掛部２ｃに引っ掛かる。この状態で、逆回転と固定側筐体１の垂れ下がりを防止する。【００４２】  取り外しはストッパー４ｂを下げる必要があり、操作ボタン４ｃを下げる操作を行う。その際に、指先に力を入れるため必然的に内側に向かっても操作ボタン４ｃを押し込む事になる。本構造では、操作ボタン４ｃを支えるストッパー４ｂは、傾斜案内板４ｄに沿って下側へ沈み込むので、操作ボタンは斜下方向に向かって沈み、概略指先の操作力印加方向と一致させる事ができた。結果として、従来の押して、下げる操作を、斜め下に押し込む自然な操作にする事ができた。
【実施例２】
【００４３】  図９は、アダプターの一形態である接地極付きダクトプラグに応用した場合の外観の三面図である。図はダクトプラグを示すが、前述の説明内容から、ダクトプラグ筐体を横方向に延長すれば、各種の電子ユニットを収納した固定側筐体部分に容易に展開できる。
図１０は、接地極付きダクトプラグの内部構造を示す、正面部分断面図と側面部分断面図である。可動灯体を吊り下げる方法として、金属板を使用したアーム型とパイプ型について図示している。
図１１は、接地極の構造について示す断面図である。
図１２は、アダプター部側と可動灯体側の分離状態を示す断面図である。
図１３は、分離したアダプター部側の下面図である。【００４４】  ダクトプラグは基本的に、アダプター部３からの入力をそのまま可動灯体側に受け渡すので、固定接触子７は入力電圧に曝され、即出力用の端子となる。その対応として、端子ホルダーＡ８ａと端子ホルダーＢ８ｂ及び基板９ａの代替をする端子ホルダーＤ８ｄによって、絶縁距離を拡大するとともに絶縁壁で覆う構造を採っている。接触片７ａの必要可動範囲とほぼ同等の範囲まで端子ホルダーで覆い込み、その効果として、固定接触子７の可動ストッパーとして働き、過負荷が印加された時の過変位を防いで劣化を防止する。更に絶縁回転軸１１を収納する軸穴径も最小限まで絞り込む事で、挿入組立時の誤操作等が発生しても、固定接触子７と接触片７ａへの過負荷が生じない構造としている。また、端子ホルダーＤ８ｄの周囲には絶縁用リブ８ｅを設けて、分離状態でも容易に充電部になる可能性がある部分に触れないよう配慮をしている。【００４５】  固定接触子７の一端には、アダプター端子３ａからのリード端子３ｄを受けて接続するためのリード受け端子７ｃを備え、積み上げ組立時にリード端子３ｄを貫通させる事で圧接構造で接続される。この場合は、リード受け端子７ｃ内で相互に可動し、アダプター端子３ａの着脱時変位を吸収するので屈曲柔軟部等は設けない。リード受け端子７ｃは、一方から接触片を切り起こすとともに、対方向には支えとなる概略角断面の支持構造備え、リード受け端子７ｃ単独で接触を維持する。【００４６】  接地極を具備する為に、端子ホルダーＡ８ａの中心先端部には接地ピン１５ａと接地バネ１５ｃを収納し、直下に接地中継端子１５ｂを配置している。接地中継端子１５ｂは、上筐体１４ａと端子ホルダーＡ８ａに挟まれて保持され、制限された範囲で上下可動する構造になっている。この可動範囲で、絶縁回転軸１１先端に配置された接地回転端子１７と接触し、且つ、ライティングダクト２に取り付けた際の接地ピン１５ａの収縮を吸収する。接地極は概略回転軸中心を貫通して接続端子部１１ｊに至る。一方で接地中継端子１５ｂの固定端側には丸形端子付きリード線等をネジ止め可能な構造にしてあり、電子ユニット等を組み込む場合への配慮をしている。【００４７】  絶縁回転軸１１には接地極を設けるために三本のＵ字溝１１ｃを設ける必要があり、その為に可動灯体１０からのリード線と接続する接続端子部１１ｊは取付具摺動軸１１ｂの厚みを大幅に増やして、その外周上に配置されている。また、接続する圧接端子部１７ａ等まではリード線１０ｄを約１２０°外周に屈曲させながら沿わせる構造によって、作業性の維持と余剰長さ分の吸収等を行っている。吊り下げパイプ６等から引き出されたリード線１０ｄは、取付具摺動軸１１ｂを削り取って設けられたリード線収納部１１ｈを経て接続端子部１１ｊに至る。そこに埋め込まれた各端子の圧接端子に圧入する事で接続を行い、各々の回転接触子１２と接地回転端子１７に繋がる。１２０°間隔でＵ字溝１１ｃを設ける為に他極と交差点ができるので、Ｕ字溝１１ｃに絶縁スペーサー１７ｂを被せて絶縁を維持している。また、極間の絶縁部は下窄まりのテーパー軸部１１ｇを設け、摩耗金属粉付着による絶縁性能低下を防いでいる。
絶縁回転軸１１の接続端子部１１ｊと回転接触子１２の接続方法は、製造数量や構造寸法等で、例えばインサート成形等の各種の具体策があるが、一部品としての従来技術による製造方法である為、詳細説明は省略する。【００４８】  ダクトプラグ筐体１４は取付後の逆回転防止の為に、プラグストッパー１６を備え、バネ１６ｅで常時上方へ押し上げている。
可動灯体１０がアーム１８で吊られる場合は、中空のアーム用回転軸１９を設けて、取付具５を介して取り付ける。アーム用回転軸１９には、凸部１９ａとフランジ部１９ｃを具備し、フランジ部１９ｃの下側には中空丸ナット２０に合う雄ネジを成形している。
可動灯体１０からのリード線１０ｄは中空丸ナット２０とアーム１８の取付穴を通りアーム用回転軸１９を通過する。この時点でアーム１８はアーム用回転軸１９と中空丸ナット２０で締め込まれて一体化する。この時の締め付けトルクはアーム１８を締め付ける為だけであり、調整時の操作力には影響を与えない。その後、内側中空部に絶縁回転軸１１を圧入して結線作業を行い、最後に、二分割の取付具５で凸部１９ａを引っ掛けて、下筐体１４ｂの取付穴１４ｃに挿入組み込む事で可動灯体１０を吊り下げる事が出来る。【００４９】  取付具５へ引っ掛ける為の回転軸の凸部は、部品の材質や加工方法で決めれば良く、図示したような、バルジ加工やダイカスト製法に拘らない。例えば吊り下げパイプ６に穴を開けた丸穴部１９ｂに二分割の摺動リング６ｃを組み込んでも実用に足る
これは従来構造の下部筐体への締め付けだけに頼るのでなく、上下、前後、左右の各方向に支持荷重を分散した結果であって、個々の操作力の調整も個別に行う事ができる。
また、前半は電子降圧変圧器を内蔵した器具で説明したが、光源等の多様化に合わせて他種類の電子ユニットを納めても良く、可動灯体は照明器具に限定されるものでは無い。要は、ライティングダクト２に取り付けて、対象方向や操作方向を自由に設定調整する必要がある各種の電器、電子機器に応用できるものである。
【図面の簡単な説明】
【００５０】
【図１】    本発明によるライティングダクト用スポットライトの基本構造図である。
【図２】    固定側筐体と可動灯体との接続保持部の一実施例を示す構造図である。
【図３】    固定側筐体と可動灯体側回転軸の分離状態を示す構造図である。
【図４】    電子ユニット基板と端子との接続方法の一例を示す分解斜視図である。
【図５】    固定側筐体に可動灯体を嵌合保持する構造の一例を示す分解斜視図である。
【図６】    可動灯体に於ける回転軸先端構造の一例を示す分解斜視図である。
【図７】    固定側筐体の一方の垂れ下がり防止と回転防止の嵌合状態を示す構造図である。
【図８】    固定側筐体を取り外す為の操作状態を示す構造図である。
【図９】    本発明をダクトプラグに応用した場合の外観図である。
【図１０】    ダクトプラグにアームを介して灯体を取り付けた場合の正面断面図と、パイプを介して取り付けた場合の側面断面図である。
【図１１】    アダプター部に接地極を設けた場合の接続構造を示す断面図である。
【図１２】    ダクトプラグ本体と可動灯体側回転軸の分離状態を示す部分断面図である。
【図１３】    可動灯体側回転軸を分離したダクトプラグ本体の下面図である。
【符号の説明】
【００５１】  １    固定側筐体
１ａ    筐体上部
１ｂ    筐体下部
１ｃ    取付穴
１ｄ    挿入切欠部
２    ライティングダクト
２ａ    ダクト絶縁体
２ｂ    ダクト導体
２ｃ    ダクト引掛部
３    アダプター部
３ａ    アダプター端子
３ｂ    アダプター掛止片
３ｃ    端子柔軟部
３ｄ    リード端子
４    着脱ストッパー部
４ａ    フック
４ｂ    ストッパー
４ｃ    操作ボタン
４ｄ    傾斜案内板
４ｅ    バネ
４ｆ    固定回転軸
４ｇ    移動回転軸
４ｈ    角穴
５    取付具
５ａ    引掛爪
５ｂ    フランジ
６    吊り下げパイプ
６ａ    パイプ凸部
６ｂ    切り欠き
６ｃ    摺動リング
７    固定接触子
７ａ    接触片
７ｂ    リード端子
７ｃ    リード受け端子
８    出力端子部
８ａ    端子ホルダーＡ
８ｂ    端子ホルダーＢ
８ｃ    軸受け部
８ｄ    端子ホルダーＤ
８ｅ    絶縁用リブ
９    電子降圧変圧器
９ａ    基板
１０    可動灯体
１０ａ    ハロゲンランプ
１０ｂ    ランプソケット
１０ｃ    ヒンジ部
１０ｄ    リード線
１１    絶縁回転軸
１１ａ    先端摺動軸
１１ｂ    取付具摺動軸
１１ｃ    Ｕ字溝
１１ｄ    パイプ挿入部
１１ｅ    凸部
１１ｆ    切削部
１１ｇ    テーパー軸部
１１ｈ    リード線収納部
１１ｊ    接続端子部
１２    回転接触子
１２ａ    掛止ダボ
１２ｂ    挟着部
１２ｃ    リード線接続部
１３    ネジ
１４    ダクトプラグ筐体
１４ａ    上筐体
１４ｂ    下筐体
１４ｃ    取付穴
１４ｄ    挿入切欠部
１５    接地端子
１５ａ    接地ピン
１５ｂ    接地中継端子
１５ｃ    接地バネ
１６    プラグストッパー
１６ｅ    バネ
１７    接地回転端子
１７ａ    圧接端子部
１７ｂ    絶縁スペーサー
１８    アーム
１９    アーム用回転軸
１９ａ    凸部
１９ｂ    丸穴部
１９ｃ    フランジ部
２０    中空丸ナット
【図１】
2006202713.tif 000003
【図２】
2006202713.tif 000004
【図３】
2006202713.tif 000005
【図４】
2006202713.tif 000006
【図５】
2006202713.tif 000007
【図６】
2006202713.tif 000008
【図７】
2006202713.tif 000009
【図８】
2006202713.tif 000010
【図９】
2006202713.tif 000011
【図１０】
2006202713.tif 000012
【図１１】
2006202713.tif 000013
【図１２】
2006202713.tif 000014
【図１３】
2006202713.tif 000015